(57)【要約】【課題】従来、適切な地図表現データをユーザに提供できなかった。【解決手段】表現している領域を特定する領域特定情報を含む１以上の属性値に対応付けられたデータであり、地図を表現した２以上の地図表現データが格納される地図表現データ格納部と、端末装置から位置を特定する位置特定情報を受信する受信部と、位置特定情報で特定される位置に対応する領域特定情報に対応付けられている１以上の地図表現データを地図表現データ格納部から取得するデータ取得部と、データ取得部が取得した地図表現データが２以上存在する場合、当該２以上の各地図表現データに対応付けられた１以上の属性値を用いて、２以上の地図表現データをソートするソート部と、ソート部がソートした２以上の地図表現データを前記端末装置に送信する送信部とを具備する情報処理装置により、適切な地図表現データをユーザに提供できる。【選択図】図２
2019160325.tif 000002
【特許請求の範囲】
【請求項１】
表現している領域を特定する領域特定情報を含む１以上の属性値に対応付けられたデータであり、地図を表現した２以上の地図表現データが格納される地図表現データ格納部と、
端末装置から位置を特定する位置特定情報を受信する受信部と、
前記位置特定情報で特定される位置に対応する領域特定情報に対応付けられている１以上の地図表現データを前記地図表現データ格納部から取得するデータ取得部と、
前記データ取得部が取得した地図表現データが２以上存在する場合、当該２以上の各地図表現データに対応付けられた１以上の属性値を用いて、前記２以上の地図表現データをソートするソート部と、
前記ソート部がソートした２以上の地図表現データを前記端末装置に送信する送信部とを具備する情報処理装置。
【請求項２】
前記データ取得部が取得した地図表現データが２以上存在する場合、当該２以上の各地図表現データに対して、各地図表現データに対応付けられた１または２以上の属性値を用いて、スコアを取得するスコア取得部をさらに具備し、
前記ソート部は、
前記スコアをキーとして前記２以上の地図表現データをソートする請求項１記載の情報処理装置。
【請求項３】
前記１以上の属性値は、
位置特定情報が示す位置と地図表現データを代表する地点との距離、地図表現データの縮尺率、地図表現データの面積、地図表現データに対するユーザのアクションに関するユーザアクション情報のうちの１以上の情報である請求項２記載の情報処理装置。
【請求項４】
前記ユーザアクション情報は、
過去から現在までのユーザの地図表現データに対する操作に基づく履歴情報、または現在のユーザの地図表現データに対する操作に基づく現在情報のいずれかである請求項３記載の情報処理装置。
【請求項５】
前記位置特定情報は、
前記端末装置が存在する現在位置を示す現在位置情報、前記端末装置で出力されている地図表現データまたは地図に対応する位置情報、または前記端末装置で受け付けられた地名情報により特定される位置情報、前記端末装置で出力されている地図表現データまたは地図、または前記端末装置で受け付けられた地名情報のいずれかである請求項１から請求項４いずれか一項に記載の情報処理装置。
【請求項６】
前記受信部が位置特定情報を受信した後、予め決められた条件を満たす１以上の地図表現データを取得する第二データ取得部をさらに具備し、
前記送信部は、
前記第二データ取得部が取得した１以上の地図表現データの一部または全部を前記端末装置に送信する請求項１から請求項５いずれか一項に記載の情報処理装置。
【請求項７】
前記第二データ取得部は、
前記送信部が前記端末装置に送信した地図表現データの１以上の属性値を取得し、当該１以上の属性値と予め決められた関係を有する属性値に対応する１以上の地図表現データを取得する請求項６記載の情報処理装置。
【請求項８】
ユーザを識別するユーザ識別子と当該ユーザの地図表現データに対する操作に関する履歴情報とを有する１以上のユーザ情報が格納されるユーザ情報格納部をさらに具備し、
前記受信部は、
ユーザ識別子をも受信し、
前記第二データ取得部は、
前記受信部が受信したユーザ識別子と対になる履歴情報を用いて、１以上の地図表現データを取得する請求項６記載の情報処理装置。
【請求項９】
前記地図表現データは、ファイルに含まれ、
一のファイルに２以上の地図表現データが含まれ、
前記データ取得部は、
前記位置特定情報で特定される位置に対応する領域特定情報に対応付けられている地図表現データを含む１以上のファイルを前記地図表現データ格納部から取得し、
前記送信部は、
前記データ取得部が取得した１以上のファイルを前記端末装置に送信する請求項１から請求項８いずれか一項に記載の情報処理装置。
【請求項１０】
表現している領域を特定する領域特定情報を含む１以上の属性値に対応付けられたデータであり、地図を表現した２以上の地図表現データが格納される地図表現データ格納部と、受信部と、データ取得部と、ソート部と、送信部とにより実現される情報処理方法であって、
前記受信部が、端末装置から位置を特定する位置特定情報を受信する受信ステップと、
前記データ取得部が、前記位置特定情報で特定される位置に対応する領域特定情報に対応付けられている１以上の地図表現データを前記地図表現データ格納部から取得するデータ取得ステップと、
前記ソート部が、前記データ取得ステップで取得された地図表現データが２以上存在する場合、当該２以上の各地図表現データに対応付けられた１以上の属性値を用いて、前記２以上の地図表現データをソートするソートステップと、
前記送信部が、前記ソートステップでソートされた２以上の地図表現データを前記端末装置に送信する送信ステップとを具備する情報処理方法。
【請求項１１】
表現している領域を特定する領域特定情報を含む１以上の属性値に対応付けられたデータであり、地図を表現した２以上の地図表現データが格納される地図表現データ格納部を具備する記録媒体にアクセス可能なコンピュータを、
端末装置から位置を特定する位置特定情報を受信する受信部と、
前記位置特定情報で特定される位置に対応する領域特定情報に対応付けられている１以上の地図表現データを前記地図表現データ格納部から取得するデータ取得部と、
前記データ取得部が取得した地図表現データが２以上存在する場合、当該２以上の各地図表現データに対応付けられた１以上の属性値を用いて、前記２以上の地図表現データをソートするソート部と、
前記ソート部がソートした２以上の地図表現データを前記端末装置に送信する送信部として機能させるためのプログラム。
【発明の詳細な説明】
【技術分野】
【０００１】
本発明は、地図表現データを提供する情報処理装置等に関するものである。
【背景技術】
【０００２】
従来、手書きの地図等の上に地理的な情報を付加して閲覧することができるシステムがあった（例えば、特許文献１参照）。本システムは、１以上の端末装置とサーバ装置とを具備する地図情報システムであって、端末装置は、出力している地図の地図識別子と現在位置情報とを有する端末情報を、サーバ装置に送信する端末情報送信部と、地図上の地点に関する情報である地点情報をサーバ装置から受信する地点情報受信部と、地点情報に対応する情報である出力情報を出力する情報出力部を具備し、サーバ装置は、絶対位置情報と相対位置情報との組である位置対応情報を地図識別子ごとに格納している地図情報格納部と、端末情報を受信する端末情報受信部と、端末情報を用いて、地点情報を取得する地点情報取得部と、地点情報を端末装置に送信する地点情報送信部を具備する地図情報システムである。
【先行技術文献】
【特許文献】
【０００３】
【特許文献１】特開２０１１−１５４１７２号公報
【発明の概要】
【発明が解決しようとする課題】
【０００４】
しかしながら、従来技術においては、手書きの地図等の地図表現データをユーザが条件を入力して検索しなければならず、適切な地図表現データをユーザに容易に提供できなかった。
【課題を解決するための手段】
【０００５】
本第一の発明の情報処理装置は、表現している領域を特定する領域特定情報を含む１以上の属性値に対応付けられたデータであり、地図を表現した２以上の地図表現データが格納される地図表現データ格納部と、端末装置から位置を特定する位置特定情報を受信する受信部と、位置特定情報で特定される位置に対応する領域特定情報に対応付けられている１以上の地図表現データを地図表現データ格納部から取得するデータ取得部と、データ取得部が取得した１以上の地図表現データを端末装置に送信する送信部とを具備する情報処理装置である。
【０００６】
かかる構成により、適切な地図表現データをユーザに容易に提供できる。
【０００７】
また、本第二の発明の情報処理装置は、第一の発明に対して、データ取得部が取得した地図表現データが２以上存在する場合、２以上の各地図表現データに対応付けられた１以上の属性値を用いて、２以上の地図表現データをソートするソート部とをさらに具備し、送信部は、ソート部がソートした２以上の地図表現データを端末装置に送信する情報処理装置である。
【０００８】
かかる構成により、適切な地図表現データを適切な順序でユーザに提示できる。
【０００９】
また、本第三の発明の情報処理装置は、第二の発明に対して、データ取得部が取得した地図表現データが２以上存在する場合、２以上の各地図表現データに対して、各地図表現データに対応付けられた１または２以上の属性値を用いて、スコアを取得するスコア取得部をさらに具備し、ソート部は、スコアをキーとして２以上の地図表現データをソートする情報処理装置である。
【００１０】
かかる構成により、適切な地図表現データを適切な順序でユーザに容易に提示できる。
【００１１】
また、本第四の発明の情報処理装置は、第三の発明に対して、１以上の属性値は、位置特定情報が示す位置と地図表現データを代表する地点との距離、地図表現データの縮尺率、地図表現データの面積、地図表現データに対するユーザのアクションに関するユーザアクション情報のうちの１以上の情報である情報処理装置である。
【００１２】
かかる構成により、適切な地図表現データを適切な順序でユーザに容易に提示できる。
【００１３】
また、本第五の発明の情報処理装置は、第四の発明に対して、ユーザアクション情報は、過去から現在までのユーザの地図表現データに対する操作に基づく履歴情報、または現在のユーザの地図表現データに対する操作に基づく現在情報のいずれかである情報処理装置
【００１４】
かかる構成により、適切な地図表現データを適切な順序でユーザに容易に提示できる。
【００１５】
また、本第六の発明の情報処理装置は、第一から第五いずれか１つの発明に対して、位置特定情報は、端末装置が存在する現在位置を示す現在位置情報、端末装置で出力されている地図表現データまたは地図に対応する位置情報、または端末装置で受け付けられた地名情報により特定される位置情報、端末装置で出力されている地図表現データまたは地図、または端末装置で受け付けられた地名情報のいずれかである情報処理装置である。
【００１６】
かかる構成により、適切な地図表現データをユーザに容易に提供できる。
【００１７】
また、本第七の発明の情報処理装置は、第一から第六いずれか１つの発明に対して、受信部が位置特定情報を受信した後、予め決められた条件を満たす１以上の地図表現データを取得する第二データ取得部をさらに具備し、送信部は、第二データ取得部が取得した１以上の地図表現データの一部または全部を端末装置に送信する情報処理装置である。
【００１８】
かかる構成により、適切な地図表現データをストレスなくユーザに容易に提供できる。
【００１９】
また、本第八の発明の情報処理装置は、第七の発明に対して、第二データ取得部は、送信部が端末装置に送信した地図表現データの１以上の属性値を取得し、１以上の属性値と予め決められた関係を有する属性値に対応する１以上の地図表現データを取得する情報処理装置である。
【００２０】
かかる構成により、適切な地図表現データをストレスなくユーザに容易に提供できる。
【００２１】
また、本第九の発明の情報処理装置は、第七の発明に対して、ユーザを識別するユーザ識別子とユーザの地図表現データに対する操作に関する履歴情報とを有する１以上のユーザ情報が格納されるユーザ情報格納部をさらに具備し、受信部は、ユーザ識別子をも受信し、第二データ取得部は、受信部が受信したユーザ識別子と対になる履歴情報を用いて、１以上の地図表現データを取得する情報処理装置である。
【００２２】
かかる構成により、適切な地図表現データをストレスなくユーザに容易に提供できる。
【００２３】
また、本第十の発明の情報処理装置は、第一から第九いずれか１つの発明に対して、地図表現データは、ファイルに含まれ、一のファイルに２以上の地図表現データが含まれ、データ取得部は、位置特定情報で特定される位置に対応する領域特定情報に対応付けられている地図表現データを含む１以上のファイルを地図表現データ格納部から取得し、送信部は、データ取得部が取得した１以上のファイルを端末装置に送信する情報処理装置である。
【００２４】
かかる構成により、適切な地図表現データをユーザに容易に提供できる。
【発明の効果】
【００２５】
本発明による情報処理装置によれば、適切な地図表現データをユーザに容易に提供できる。
【図面の簡単な説明】
【００２６】
【図１】実施の形態１における情報システムＡの概念図を示す図
【図２】同情報システムＡのブロック図
【図３】同情報処理装置１の動作について説明するフローチャート
【図４】同情報処理装置１の動作について説明するフローチャート
【図５】同位置情報取得処理について説明するフローチャート
【図６】同ソート処理について説明するフローチャート
【図７】同端末装置２の動作について説明するフローチャート
【図８】同地図表現データ管理表を示す図
【図９】同ユーザ情報管理表を示す図
【図１０】同地名位置対応表を示す図
【図１１】同端末装置２の表示例を示す図
【図１２】同端末装置２の表示例を示す図
【図１３】同端末装置２の表示例を示す図
【図１４】同端末装置２の表示例を示す図
【図１５】同端末装置２の表示例を示す図
【図１６】同端末装置２の表示例を示す図
【図１７】同コンピュータシステムの概観図
【図１８】同コンピュータシステムのブロック図
【発明を実施するための形態】
【００２７】
以下、情報処理装置等の実施形態について図面を参照して説明する。なお、実施の形態において同じ符号を付した構成要素は同様の動作を行うので、再度の説明を省略する場合がある。
【００２８】
（実施の形態１）
【００２９】
本実施の形態において、位置を特定できる位置特定情報を用いて、領域を特定する領域特定情報が対応付いている地図表現データを検索する情報システムについて説明する。
【００３０】
また、本実施の形態において、検索して取得した複数の地図表現データをソートして出力する情報システムについて説明する。
【００３１】
また、本実施の形態において、予め決められた条件を満たす地図表現データをユーザが使用する端末装置でキャッシュできる情報システムについて説明する。
【００３２】
さらに、本実施の形態において、１に、２以上の地図表現データが存在する一ファイルも処理できる情報システムについて説明する。
【００３３】
図１は、本実施の形態における情報システムＡの概念図である。情報システムＡは、情報処理装置１、および１または２以上の端末装置２を備える。情報処理装置１は、いわゆるサーバ装置であり、例えば、クラウドサーバ、ＡＳＰサーバ等、その種類は問わない。端末装置２は、ユーザが使用する端末であり、いわゆるスマートフォン、タブレット端末、ノートパソコン、ＰＣ等、その種類は問わない。
【００３４】
図２は、本実施の形態における情報システムＡのブロック図である。
【００３５】
情報処理装置１は、格納部１１、受信部１２、処理部１３、および送信部１４を備える。格納部１１は、地図表現データ格納部１１１、ユーザ情報格納部１１２を備える。処理部１３は、データ取得部１３１、ソート部１３２、スコア取得部１３３、および第二データ取得部１３４を備える。
【００３６】
端末装置２は、端末格納部２１、端末受付部２２、端末処理部２３、端末送信部２４、端末受信部２５、および端末出力部２６を備える。
【００３７】
情報処理装置１を構成する格納部１１には、各種の情報が格納される。各種の情報とは、例えば、後述する地図表現データ、後述するユーザ情報、地名情報と位置情報との対の情報である。なお、地名情報とは、地名を示す情報であり、例えば、地名、地点名、名勝の名前、駅名、ランドスケープの名前、都道府県名、市町村名、観光スポットの名前等である。位置情報は、位置を示す情報であり、通常、（緯度、経度）であるが、位置を示す情報であれば何でも良い。
【００３８】
また、各種の情報とは、例えば、後述するスコアを算出するための演算式、スコアを取得するための表であるスコア表である。演算式は、例えば、地図表現データの１以上の属性値をパラメータとする式であり、その具体例は後述する。スコア表は、地図表現データの１以上の各属性値または属性値の組み合わせと対に、スコアまたはスコアの元になる元データを格納している表である。
【００３９】
また、各種の情報とは、例えば、地名位置対応表である。地名位置対応表は、地名情報と位置情報との対応を示す表である。
【００４０】
地図表現データ格納部１１１には、２以上の地図表現データが格納される。地図表現データは、地図を表現したデータである。地図表現データは、表現する地理的な領域が限られている情報である。地図表現データは、地図表現データを識別する地図識別子と対応付いていることは好適である。地図識別子は、例えば、ＩＤ、地図表現データを有するファイル名、地図表現データの名称等である。地図表現データは、例えば、古地図、イラストマップ、略地図、手書き地図等であるが、その種類は問わない。地図表現データは、通常、画像データであるが、ベクトルデータ等でも良く、データ構造は問わない。地図表現データは、１または２以上の属性値に対応付けられている。１以上の属性値は、地図表現データの属性値である。属性値は、地図表現データの性質や特徴などを示す情報である。地図表現データに対応付けられている１以上の属性値は、領域特定情報を含む。領域特定情報は、地図表現データが表す領域を特定する情報である。領域は、通常、矩形であるが、三角形、八角形、円形等の、矩形以外の形状も良い。地図表現データが表す領域は、地図表現データが表現している領域と言っても良い。
【００４１】
地図表現データに対応付けられている１以上の属性値は、例えば、静的な属性値である静的属性値である。また、地図表現データに対応付けられている１以上の属性値は、例えば、動的に変化する動的属性値である。１以上の属性値は、１以上の静的属性値と１以上の動的属性値を含んでも良い。静的属性値は、例えば、地図表現データの地図としての縮尺率（適宜、単に「縮尺率」という）、地図表現データが示す領域の地図上での実施の面積（適宜、単に「面積」という）、地図の内容を示す内容情報である。内容情報は、地図表現データの完成度、地図表現データのテーマ、地図表現データに対応するメタデータ、キーワード等である。メタデータ、キーワードは、例えば、地図表現データの種類、地図表現データの領域に存在するランドスケープ名、地名等である。動的属性値は、例えば、位置特定情報が示す位置と地図表現データを代表する地点との距離、地図表現データに対するユーザのアクションに関するユーザアクション情報である。
【００４２】
なお、地図表現データを代表する地点とは、例えば、地図表現データの重心点、地図表現データの端のいずれかの点、地図表現データの領域の境界を構成するいずれかの点である。
【００４３】
地図表現データは、ファイルに含まれることは好適である。ただし、地図表現データは、データベース内のデータでも良く、そのデータフォーマット、管理方法は問わない。地図表現データがファイルに含まれる場合、当該ファイルに２以上の地図表現データが含まれていても良い。また、一の地図表現データが２以上のファイルにより実現されても良い。つまり、一つの地図表現データが２以上のファイルに分割されていても良い。
【００４４】
ユーザアクション情報は、通常、履歴情報、現在情報のうち、１種類以上の情報を含む。履歴情報とは、過去から現在までのユーザの地図表現データに対する操作に基づく情報である。現在情報は、現在のユーザの地図表現データに対する操作に基づく情報である。履歴情報は、例えば、ユーザにより過去にダウンロードされた回数、月間ビュー数、平均アクセス時間、星の数、ランク等のユーザの評価値の平均、地図表現データへのユーザのコメント数（感想の数）である。ただし、履歴情報は、例えば、ユーザからの指示（例えば、ダウンロードの指示、端末装置２で未表示とする指示）、受信されたコメント、受信された評価値等でも良い。
【００４５】
現在情報は、例えば、端末装置２で、現在、出力されている地図表現データを識別する地図識別子、現在、出力されている地図表現データの出力時間（閲覧時間と言っても良い。）である。
【００４６】
ユーザ情報格納部１１２は、１または２以上のユーザ情報が格納される。ユーザ情報は、ユーザに関する情報である。ユーザ情報は、通常、ユーザを識別するユーザ識別子と履歴情報とを有する。履歴情報は、ユーザの地図表現データに対する操作の履歴に関する情報である。履歴情報は、例えば、閲覧した（ダウンロードした）地図表現データを識別する地図識別子、地図表現データを閲覧した時間等である。なお、ユーザ識別子は、端末装置２を識別する端末識別子でも良い。ユーザ識別子は、例えば、ＩＤ、メールアドレス、電話番号、ＭＡＣアドレス等である。
【００４７】
受信部１２は、端末装置２から位置特定情報を受信する。受信部１２は、位置特定情報に対応付けて、ユーザ識別子をも受信することは好適である。
【００４８】
なお、位置特定情報とは、位置を特定する情報である。位置特定情報は、端末装置２の位置を特定する情報でも良いし、ユーザが着目していると考えられる領域や地域の位置を特定する情報等でも良い。位置特定情報は、例えば、端末装置２が存在する現在位置を示す現在位置情報（例えば、（緯度，経度）の情報）、端末装置２で出力されている地図表現データまたは地図に対応する位置情報、または端末装置２で受け付けられた地名情報により特定される位置情報、端末装置２で出力されている地図表現データまたは地図、または端末装置２で受け付けられた地名情報である。
【００４９】
端末装置２で出力されている地図表現データまたは地図に対応する位置情報は、端末装置２で出力されている地図表現データまたは地図の中心点の位置を示す情報、または端末装置２で出力されている地図表現データまたは地図の境界線上の任意の一点の位置を示す情報等である。
【００５０】
処理部１３は、各種の処理を行う。各種の処理とは、例えば、データ取得部１３１、ソート部１３２、スコア取得部１３３、第二データ取得部１３４が行う処理である。
【００５１】
データ取得部１３１は、位置特定情報で特定される位置に対応する領域特定情報に対応付けられている１または２以上の地図表現データを地図表現データ格納部１１１から取得する。位置特定情報で特定される位置に対応する領域特定情報とは、例えば、位置特定情報で特定される位置が含まれる領域を示す領域特定情報、位置特定情報で特定される位置と予め決められた条件を満たすほど近い位置が含まれる領域を示す領域特定情報等である。
【００５２】
地図表現データがファイルに含まれている場合、データ取得部１３１は、位置特定情報で特定される位置に対応する領域特定情報に対応付けられている地図表現データを含む１以上のファイルを地図表現データ格納部１１１から取得する。なお、地図表現データがファイルに含まれることは、地図表現データがファイルであることでも良い。地図表現データがファイルであることは、例えば、ファイルが地図表現データの画像ファイルであることである。
【００５３】
ソート部１３２は、データ取得部１３１が取得した地図表現データが２以上存在する場合、当該２以上の各地図表現データに対応付けられた１以上の属性値を用いて、２以上の地図表現データをソートする。つまり、ソート部１３２は、データ取得部１３１が取得した地図表現データが２以上存在する場合、当該２以上の各地図表現データに対応付けられている１以上の属性値を地図表現データ格納部１１１から取得し、当該１以上の属性値を用いて、２以上の地図表現データをソートする。
【００５４】
ソート部１３２は、例えば、各地図表現データに対応付けられている１以上の属性値から取得されたスコアをキーとして２以上の地図表現データをソートする。なお、スコアの取得は、後述するスコア取得部１３３が行う。また、ここでのソートは、通常、スコアの降順でのソートである。ソート部１３２は、通常、スコアが高いほど、前に（先に）出力されるように地図表現データをソートする。  また、ソートするとは、端末装置２で順に出力されるようにする処理であれば何でも良く、例えば、２以上の地図表現データの並び替えても良いし、２以上の各地図表現データに対応付けて、順位を示す順位情報を地図表現データに付加しても良い。
【００５５】
スコア取得部１３３は、データ取得部１３１が取得した地図表現データが２以上存在する場合、２以上の各地図表現データに対して、各地図表現データに対応付けられた１または２以上の属性値を用いて、スコアを取得する。スコアを取得するアルゴリズムは種々あり得る。
【００５６】
スコア取得部１３３は、各地図表現データに対応付けられた１以上の属性値のみを用いて各地図表現データのスコアを取得しても良い。また、スコア取得部１３３は、各地図表現データに対応付けられた１以上の属性値と、ユーザ情報とを用いて各地図表現データのスコアを取得しても良い。
【００５７】
スコア取得部１３３は、例えば、位置特定情報が示す位置と地図表現データを代表する地点との距離（以下、適宜、単に「距離」という）、縮尺率、面積、完成度、メタデータ、ＤＬ回数、月間ビュー数、平均アクセス時間、評価値のうちの１または２以上の属性値を用いて、地図表現データのスコアを取得する。ここで、縮尺率とは、地図表現データの縮尺率である。面積とは、地図表現データが表現する領域の実際の面積である。完成度とは、地図表現データの完成の度合いを示す情報であり、人が入力した情報である。メタデータとは、地図表現データに付与される情報である。ＤＬ回数は、今までに１以上の端末装置２にダウンロードされ、１以上の端末装置２に表示された総回数である。なお、ＤＬ回数は、今まで１以上の端末装置２にダウンロードされた総回数でも良い。月間ビュー数は、その月または前月に、１以上の端末装置２に表示された総回数である。平均アクセス時間は、端末装置２で表示されている時間の平均値である。評価値は、ユーザの評価値の平均値である。
【００５８】
スコア取得部１３３は、例えば、距離が小さいほどスコアが大きくなるようにスコアを算出する。スコア取得部１３３は、例えば、縮尺率が小さいほどスコアが大きくなるようにスコアを算出する。スコア取得部１３３は、例えば、面積が小さいほどスコアが大きくなるようにスコアを算出する。スコア取得部１３３は、例えば、完成度が高い（完成度の値が大きい）ほどスコアが大きくなるようにスコアを算出する。スコア取得部１３３は、例えば、ＤＬ回数が多いほどスコアが大きくなるようにスコアを算出する。スコア取得部１３３は、例えば、月間ビュー数が多いほどスコアが大きくなるようにスコアを算出する。スコア取得部１３３は、例えば、平均アクセス時間が長いほどスコアが大きくなるようにスコアを算出する。スコア取得部１３３は、例えば、評価値が大きいほどスコアが大きくなるようにスコアを算出する。
【００５９】
スコア取得部１３３は、例えば、１または２以上の属性値が決まれたスコアが決まるスコア表を参照し、取得された１または２以上の属性値を用いて、スコア表からスコアを取得しても良い。
【００６０】
第二データ取得部１３４は、受信部１２が位置特定情報を受信した後、予め決められた条件（以下、適宜、「キャッシュ条件」という。）を満たす１以上の地図表現データを取得する。第二データ取得部１３４は、端末装置２で、地図表現データの表示を高速化するためのキャッシュ用の地図表現データを取得する。つまり、第二データ取得部１３４は、端末装置２のユーザが次に要求する可能性が高いと推定される（予め決められた条件を満たす）地図表現データを取得することは好適である。
【００６１】
第二データ取得部１３４は、例えば、送信部１４が端末装置２に送信した地図表現データ（現在、閲覧中の地図表現データ）の１以上の属性値を取得し、当該１以上の属性値と予め決められた関係を有する属性値に対応する１以上の地図表現データを取得する。なお、予め決められた関係を有する属性値とは、例えば、現在、閲覧中の地図表現データの１以上の属性値と一致する１以上の属性値である。また、予め決められた関係を有する属性値とは、例えば、現在、閲覧中の地図表現データの１以上の属性値と、予め決められた条件を満たすほど近似する１以上の属性値である。
【００６２】
第二データ取得部１３４は、例えば、受信部１２が受信したユーザ識別子と対になる履歴情報を用いて、１以上の地図表現データを取得する。第二データ取得部１３４は、例えば、履歴情報が有する１以上の地図識別子と対になる１以上の属性値を取得し、取得した属性値から、キャッシュ条件を満たす属性値を取得し（ユーザが好む属性値を取得し）、当該属性値と対になる１以上の地図表現データを取得する。
【００６３】
第二データ取得部１３４は、例えば、送信部１４が端末装置２に送信した地図表現データ（現在、閲覧中の地図表現データ）の１以上の属性値、および受信部１２が受信したユーザ識別子と対になる履歴情報を用いて、１以上の地図表現データを取得する。
【００６４】
第二データ取得部１３４は、例えば、スコア取得部１３３が取得したスコアが、予め決められた条件を満たすほど大きいスコアの１以上の地図表現データを取得する。なお、かかる場合、スコア取得部１３３は、送信部１４が端末装置２に送信した地図表現データ（現在、閲覧中の地図表現データ）の１以上の属性値、受信部１２が受信したユーザ識別子と対になる履歴情報のうちの１種類以上の属性値を使用して、地図表現データのスコアを取得する。
【００６５】
第二データ取得部１３４が一の端末装置２でキャッシュさせる地図表現データを取得するタイミングは問わない。第二データ取得部１３４は、例えば、一の端末装置２に地図表現データが送信された場合に、当該一の端末装置２にキャッシュさせる地図表現データを取得する処理を開始しても良い。また、第二データ取得部１３４は、例えば、一の端末装置２に地図表現データが送信されたた後、予め決められた時間が経過した場合に、当該一の端末装置２にキャッシュさせる地図表現データを取得する処理を開始しても良い。
【００６６】
送信部１４は、データ取得部１３１が取得した１以上の地図表現データを端末装置２に送信する。送信部１４が一の地図表現データを送信する場合に、当該一の地図表現データが２以上のファイルでも良い。また、送信部１４は、一の地図表現データを構成する複数のファイル（当該地図表現データの一部分のファイル）を１つにまとめた圧縮ファイルとして端末装置２に送信しても良いし、非同期通信により、１つのＩＤに紐づけられた複数の各ファイルが異なるタイミングで送信されても良い。なお、一の地図表現データの一部分のファイルをタイル画像ファイルと言っても良い。また、一の地図表現データを構成する複数のファイルをデータセットと言っても良い
【００６７】
送信部１４は、例えば、ソート部１３２がソートした２以上の地図表現データを端末装置２に送信する。
【００６８】
送信部１４は、例えば、第二データ取得部１３４が取得した１以上の地図表現データの一部または全部を端末装置２に送信する。地図表現データの一部とは、地図表現データを分割したうちの一部の領域の地図表現データである。一部の領域の地図表現データを、部分地図表現データと言っても良い。
【００６９】
送信部１４は、例えば、データ取得部１３１が取得した１以上のファイルを端末装置２に送信する。なお、かかる場合、ファイルは、１または２以上の地図表現データを含む。
【００７０】
端末装置２を構成する端末格納部２１には、各種の情報が格納される。各種の情報とは、例えば、ユーザ識別子、キャッシュされている地図表現データの全部または一部分である。各種の情報とは、例えば、地名位置対応表である。
【００７１】
端末受付部２２は、各種の指示や情報を受け付ける。各種の指示や情報とは、例えば、地図表現データの要求指示、各種の操作である。地図表現データの要求指示は、地図識別子を有していても良いし、地図識別子を有さなくても良い。
【００７２】
ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００７３】
各種の指示や情報の入力手段は、タッチパネルやキーボードやマウスやメニュー画面によるもの等、何でも良い。端末受付部２２は、タッチパネルやキーボード等の入力手段のデバイスドライバーや、メニュー画面の制御ソフトウェア等で実現され得る。
【００７４】
端末処理部２３は、各種の処理を行う。各種の処理とは、例えば、端末受付部２２が受け付けた指示から送信する指示に構成する処理である。端末受付部２２が地図表現データの要求指示を受け付けた場合、端末処理部２３は、例えば、要求指示が地図識別子を有さない場合、現在位置を示す位置情報を取得し、ユーザ識別子を端末格納部２１から取得し、当該位置情報を有する位置特定情報と当該ユーザ識別子とを有する情報を構成する。また、端末受付部２２が地図表現データの要求指示を受け付けた場合であり、要求指示が地図識別子を有さず、かつ地図または地図表現データが端末装置２で表示されている場合、例えば、端末処理部２３は、表示されている地図の領域を代表する地点の位置情報または表示されている地図表現データの領域を代表する地点の位置情報を取得し、ユーザ識別子を端末格納部２１から取得し、当該位置情報を有する位置特定情報と当該ユーザ識別子とを有する情報を構成する。また、端末受付部２２が地図表現データの要求指示を受け付けた場合であり、要求指示が地図識別子を有さず、かつ地図または地図表現データが端末装置２で表示されている場合、例えば、端末処理部２３は、表示されている地図または表示されている地図表現データを取得し、ユーザ識別子を端末格納部２１から取得し、当該地図または地図表現データと当該ユーザ識別子とを有する情報を構成する。また、端末受付部２２が地図表現データの要求指示を受け付けた場合であり、要求指示が地点情報を有する場合、例えば、端末処理部２３は、ユーザ識別子を端末格納部２１から取得し、地点情報を有する位置特定情報と当該ユーザ識別子とを有する情報を構成する。また、端末受付部２２が地図表現データの要求指示を受け付けた場合であり、要求指示が地点情報を有する場合、例えば、端末処理部２３は、ユーザ識別子を端末格納部２１から取得し、地点情報に対応する位置情報を端末格納部２１の地名位置対応表から取得し、当該位置情報を有する位置特定情報と当該ユーザ識別子とを有する情報を構成する。
【００７５】
各種の処理とは、例えば、受け付けられた地名情報と対になる位置情報を、端末格納部２１の地名位置対応表から取得する処理である。
【００７６】
各種の処理とは、例えば、キャッシュ用に受信された地図表現データの全部または一部分を図示しないバッファに一時蓄積する処理である。
【００７７】
端末送信部２４は、各種の指示や情報を情報処理装置１に送信する。端末送信部２４は、端末処理部２３が構成した情報を情報処理装置１に送信する。
【００７８】
端末受信部２５は、各種の情報を情報処理装置１から受信する。各種の情報とは、出力される地図表現データである。また、各種の情報とは、キャッシュされる地図表現データの全部または一部分である。
【００７９】
端末出力部２６は、各種の情報を出力する。各種の情報とは、端末受付部２２が受け付けた情報、端末受信部２５が受信した地図表現データ等である。
【００８０】
ここで、出力とは、通常、ディスプレイへの表示である。ただし、出力とは、通プロジェクターを用いた投影、プリンタでの印字、外部の装置（通常、表示装置）への送信、記録媒体への蓄積、他の処理装置や他のプログラムなどへの処理結果の引渡しなどを含む概念であると考えても良い。
【００８１】
格納部１１、地図表現データ格納部１１１、ユーザ情報格納部１１２、および端末格納部２１は、不揮発性の記録媒体が好適であるが、揮発性の記録媒体でも実現可能である。
【００８２】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００８３】
受信部１２、および端末受信部２５は、通常、無線または有線の通信手段で実現されるが、放送を受信する手段で実現されても良い。
【００８４】
処理部１３、データ取得部１３１、ソート部１３２、スコア取得部１３３、第二データ取得部１３４、および端末処理部２３は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００８５】
送信部１４、および端末送信部２４は、通常、無線または有線の通信手段で実現されるが、放送手段で実現されても良い。
【００８６】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００８７】
次に、情報システムＡの動作について説明する。まず、情報処理装置１の動作について、図３、図４のフローチャートを用いて説明する。
【００８８】
（ステップＳ３０１）受信部１２は、端末装置２から位置特定情報を受信したか否かを判断する。位置特定情報を受信した場合はステップＳ３０２に行き、位置特定情報を受信しなかった場合はステップＳ３１３に行く。なお、受信部１２は、通常、位置特定情報に対応付いたユーザ識別子も受信する。
【００８９】
（ステップＳ３０２）データ取得部１３１は、ステップＳ３０１で受信された位置特定情報を用いて、位置情報を取得する。なお、位置情報取得処理について、図５のフローチャートを用いて説明する。
【００９０】
（ステップＳ３０３）データ取得部１３１は、カウンタｉに１を代入する。
【００９１】
（ステップＳ３０４）データ取得部１３１は、地図表現データ格納部１１１にｉ番目の地図表現データが存在するか否かを判断する。ｉ番目の地図表現データが存在すればステップＳ３０５に行き、ｉ番目の地図表現データが存在しなければステップＳ３０９に行く。
【００９２】
（ステップＳ３０５）データ取得部１３１は、ｉ番目の地図表現データと対になる領域特定情報を地図表現データ格納部１１１から取得する。
【００９３】
（ステップＳ３０６）データ取得部１３１は、ステップＳ３０２で取得した位置情報が、ステップＳ３０５で取得した領域特定情報に対応するか否かを判断する。対応する場合はステップＳ３０７に行き、対応しない場合はステップＳ３０８に行く。なお、位置情報が領域特定情報に対応するとは、例えば、位置情報により特定される地点が、領域特定情報が示す領域に含まれること、または位置情報により特定される地点が、領域特定情報が示す領域と予め決められた条件を満たすほど近いこと等である。なお、ステップＳ３０２で取得した位置情報は、後述する変数に格納されている位置情報である。
【００９４】
（ステップＳ３０７）データ取得部１３１は、ｉ番目の地図表現データを識別する地図識別子を地図表現データ格納部１１１から取得し、図示しないバッファに一時蓄積する。
【００９５】
（ステップＳ３０８）データ取得部１３１は、カウンタｉを１、インクリメントする。ステップＳ３０４に戻る。
【００９６】
（ステップＳ３０９）ソート部１３２は、図示しないバッファに２以上の地図識別子が存在するか否かを判断する。２以上の地図識別子が存在する場合はステップＳ３１０に行き、２以上の地図識別子が存在しない場合はステップＳ３１１に行く。
【００９７】
（ステップＳ３１０）ソート部１３２は、図示しないバッファに存在する２以上の地図識別子で識別される２以上の地図表現データをソートする。ソート処理について、図６のフローチャートを用いて説明する。
【００９８】
（ステップＳ３１１）処理部１３は、図示しないバッファに存在する地図識別子を取得し、当該地図識別子で識別される地図表現データを地図表現データ格納部１１１から取得する。
【００９９】
（ステップＳ３１２）送信部１４は、ステップＳ３１０またはステップＳ３１１で取得された１以上の地図表現データを端末装置２に送信する。ステップＳ３０１に戻る。
【０１００】
（ステップＳ３１３）第二データ取得部１３４は、一の端末装置２でキャッシュさせる地図表現データを送信するか否かを判断する。キャッシュさせる地図表現データを送信すると判断した場合はステップＳ３１４に行き、キャッシュさせる地図表現データを送信しないと判断した場合はステップＳ３２４に行く。なお、キャッシュさせる地図表現データを送信すると判断する場合は、例えば、一の端末装置２に地図表現データを送信した場合、一の端末装置２に地図表現データを送信した後、予め決められた時間が経過した場合である。
【０１０１】
（ステップＳ３１４）第二データ取得部１３４は、キャッシュする地図表現データを送信する対象の端末装置２のユーザ識別子と対になる履歴情報をユーザ情報格納部１１２から取得する。
【０１０２】
（ステップＳ３１５）第二データ取得部１３４は、カウンタｊに１を代入する。
【０１０３】
（ステップＳ３１６）第二データ取得部１３４は、ｊ番目の地図表現データが地図表現データ格納部１１１に存在するか否かを判断する。ｊ番目の地図表現データが存在する場合はステップＳ３１７に行き「、ｊ番目の地図表現データが存在しない場合はステップＳ３２１に行く。
【０１０４】
（ステップＳ３１７）第二データ取得部１３４は、ｊ番目の地図表現データと対になる１以上の属性値を地図表現データ格納部１１１から取得する。
【０１０５】
（ステップＳ３１８）第二データ取得部１３４は、ステップＳ３１７で取得された１以上の属性値、またはステップＳ３１４で取得された履歴情報、またはステップＳ３１７で取得された１以上の属性値とステップＳ３１４で取得された履歴情報が、キャッシュ条件に合致するか否かを判断する。キャッシュ条件に合致する場合はステップＳ３１９に行き、キャッシュ条件に合致しない場合はステップＳ３２０に行く。
【０１０６】
（ステップＳ３１９）第二データ取得部１３４は、ｊ番目の地図表現データを識別する地図識別子を図示しないバッファに一時蓄積する。なお、ここで、スコア取得部１３３は、ｊ番目の地図表現データに対して、上述したスコアを算出し、スコアと対に地図識別子を図示しないバッファに一時蓄積しても良い。また、ここで、バッファに一時蓄積される地図識別子は、通常、キャッシュされる地図表現データの候補の地図表現データの識別子である。また、スコア取得部１３３のスコアの算出方法の例については、上述した。
【０１０７】
（ステップＳ３２０）第二データ取得部１３４は、カウンタｊを１、インクリメントする。ステップＳ３１６に戻る。
【０１０８】
（ステップＳ３２１）第二データ取得部１３４は、図示しないバッファに蓄積されている地図識別子で識別されている地図表現データから、端末装置２でキャッシュする地図表現データを決定する。なお、第二データ取得部１３４は、図示しないバッファに蓄積されている地図識別子で識別されるすべての地図表現データを、キャッシュする地図表現データとして決定しても良い。また、第二データ取得部１３４は、図示しないバッファに蓄積されている地図識別子で識別されている地図表現データから、ランダムに一つの地図識別子を選択し、当該一つの地図識別子で識別されるすべての地図表現データを、キャッシュする地図表現データとして決定しても良い。また、図示しないバッファに蓄積されているスコアが上位Ｎ（Ｎは１以上の自然数）の地図表現データを、キャッシュする地図表現データとして決定しても良い。また、図示しないバッファに蓄積されているスコアが閾値以上または閾値より大きい地図表現データを、キャッシュする地図表現データとして決定しても良い。なお、地図表現データを決定することは、例えば、地図識別子を取得することでも良いし、地図表現データにフラグを付与すること等でも良い。
【０１０９】
（ステップＳ３２２）第二データ取得部１３４は、ステップＳ３２１で決定した１以上の地図表現データを地図表現データ格納部１１１から取得する。
【０１１０】
（ステップＳ３２３）送信部１４は、ステップＳ３２２で取得した１以上の地図表現データの全部、またはステップＳ３２２で取得した１以上の各地図表現データの一部分を、キャッシュさせると判断した一の端末装置２に送信する。ステップＳ３０１に戻る。
【０１１１】
（ステップＳ３２４）受信部１２は、端末装置２から操作情報等を受信したか否かを判断する。操作情報等を受信した場合はステップＳ３２５に行き、操作情報等を受信しない場合はステップＳ３０１に戻る。なお、操作情報等とは、例えば、操作情報とユーザ識別子である。
【０１１２】
（ステップＳ３２５）処理部１３は、ステップＳ３２４で受信された操作情報等を、ユーザ情報格納部１１２に蓄積する。ステップＳ３０１に戻る。
【０１１３】
なお、図３、図４のフローチャートにおいて、電源オフや処理終了の割り込みにより処理は終了する。
【０１１４】
次に、ステップＳ３０２の位置情報取得処理について、図５のフローチャートを用いて説明する。
【０１１５】
（ステップＳ５０１）データ取得部１３１は、ステップＳ３０１で受信された位置特定情報が位置情報そのものであるか否かを判断する。位置情報そのものである場合はステップＳ５０２に行き、位置情報そのものでない場合はステップＳ５０３に行く。
【０１１６】
（ステップＳ５０２）データ取得部１３１は、ステップＳ３０１で受信された位置特定情報を、位置情報が格納される変数に代入する。上位処理にリターンする。
【０１１７】
（ステップＳ５０３）データ取得部１３１は、ステップＳ３０１で受信された位置特定情報が地名情報であるか否かを判断する。地名情報である場合はステップＳ５０４に行き、地名情報でない場合はステップＳ５０６に行く。
【０１１８】
（ステップＳ５０４）データ取得部１３１は、ステップＳ３０１で受信された地名情報に対応する位置情報を格納部１１から取得する。
【０１１９】
（ステップＳ５０５）データ取得部１３１は、ステップＳ５０４で取得された位置情報を、位置情報が格納される変数に代入する。上位処理にリターンする。
【０１２０】
（ステップＳ５０６）データ取得部１３１は、ステップＳ３０１で受信された位置特定情報が領域を示す領域情報を有する、またはステップＳ３０１で受信された位置特定情報（例えば、地図表現データまたは地図または地図識別子）に対応する領域情報が地図表現データ格納部１１１に格納されているか否かを判断する。領域情報を有する等の場合はステップＳ５０７に行き、その他の場合は上位処理にリターンする。
【０１２１】
（ステップＳ５０７）データ取得部１３１は、ステップＳ３０１で受信された位置特定情報が有する領域情報が示す領域を代表する位置を示す位置情報を取得する、またはステップＳ３０１で受信された位置特定情報に対応する領域情報が示す領域を代表する位置を示す位置情報を取得する。なお、領域を代表する位置を示す位置情報は、例えば、領域の重心点の位置を示す位置情報である。
【０１２２】
（ステップＳ５０８）データ取得部１３１は、ステップＳ５０７で取得された位置情報を、位置情報が格納される変数に代入する。上位処理にリターンする。
【０１２３】
次に、ステップＳ３１０のソート処理について、図６のフローチャートを用いて説明する。
【０１２４】
（ステップＳ６０１）スコア取得部１３３は、位置特定情報を送信してきた端末装置２のユーザのユーザ識別子と対になる履歴情報をユーザ情報格納部１１２から取得する。
【０１２５】
（ステップＳ６０２）スコア取得部１３３は、カウンタｋに１を代入する。
【０１２６】
（ステップＳ６０３）スコア取得部１３３は、図示しないバッファに、ｋ番目の地図識別子が存在するか否かを判断する。ｋ番目の地図識別子が存在する場合はステップＳ６０４に行き、ｋ番目の地図識別子が存在しない場合はステップＳ６０８に行く。なお、ｋ番目の地図識別子が存在することは、ｋ番目の地図表現データが存在することである。
【０１２７】
（ステップＳ６０４）スコア取得部１３３は、ｋ番目の地図表現データと対になる１以上の属性値を地図表現データ格納部１１１から取得する。
【０１２８】
（ステップＳ６０５）スコア取得部１３３は、ステップＳ６０４で取得した１以上の属性値、または／およびステップＳ６０１で取得した履歴情報を用いて、ｋ番目の地図表現データに対するスコアを算出する。
【０１２９】
（ステップＳ６０６）スコア取得部１３３は、ｋ番目の地図識別子に対応付けて、ステップＳ６０５で算出したスコアを、図示しないバッファに蓄積する。
【０１３０】
（ステップＳ６０７）スコア取得部１３３は、カウンタｋを１、インクリメントする。ステップＳ６０３に戻る。
【０１３１】
（ステップＳ６０８）ソート部１３２は、図示しないバッファの中のスコアをキーとして、降順で、地図識別子をソートする。そして、ソート部１３２は、ソートした順に、地図識別子で識別される地図表現データを地図表現データ格納部１１１から取得する。上位処理にリターンする。
【０１３２】
次に、端末装置２の動作について、図７のフローチャートを用いて説明する。
【０１３３】
（ステップＳ７０１）端末受付部２２は、地図表現データの要求指示を受け付けたか否かを判断する。要求指示を受け付けた場合はステップＳ７０２に行き、要求指示を受け付けない場合はステップＳ７０８に行く。
【０１３４】
（ステップＳ７０２）端末処理部２３は、ステップＳ７０１で受け付けた要求指示に対応する地図表現データが、図示しないバッファにキャッシュされているか否かを判断する。キャッシュされている場合はステップＳ７０７に行き、キャッシュされていない場合はステップＳ７０３に行く。
【０１３５】
（ステップＳ７０３）端末処理部２３は、ステップＳ７０１で受け付けた要求指示に対応する位置特定情報を取得する。ここで、端末処理部２３は、例えば、ユーザ識別子を端末格納部２１から取得し、位置特定情報と当該ユーザ識別子とを有する情報を構成する。
【０１３６】
（ステップＳ７０４）端末送信部２４は、位置特定情報を含む情報であり、ステップＳ７０３で構成された情報を情報処理装置１に送信する。
【０１３７】
（ステップＳ７０５）端末受信部２５は、１または２以上の地図表現データを情報処理装置１から受信したか否かを判断する。受信した場合はステップＳ７０６に行き、受信しない場合はステップＳ７０５に戻る。
【０１３８】
（ステップＳ７０６）端末処理部２３は、ステップＳ７０５で受信された１以上の地図表現データを図示しないバッファに蓄積する。
【０１３９】
（ステップＳ７０７）端末出力部２６は、バッファ内の地図表現データを出力する。ステップＳ７０１に戻る。なお、ここで、出力される候補の地図表現データが複数存在する場合、当該複数の地図表現データを出力しても良いし、ソートされている中の先頭の地図表現データのみを出力しても良い。
【０１４０】
（ステップＳ７０８）端末受付部２２は、ユーザから操作を受け付けたか否かを判断する。操作を受け付けた場合はステップＳ７０９に行き、操作を受け付けない場合はステップＳ７１２に行く。
【０１４１】
（ステップＳ７０９）端末処理部２３は、ステップＳ７０８で受け付けた操作に応じた処理を行う。
【０１４２】
（ステップＳ７１０）端末処理部２３は、ステップＳ７０８で受け付けた操作に対応する操作情報を取得し、情報処理装置１に送信する情報を構成する。なお、情報処理装置１に送信する情報は、通常、操作情報とユーザ識別子とを含み、操作情報等と言う。また、操作情報は、操作のプリミティブな情報（例えば、押下されたボタンのＩＤ、入力された情報など）でも良いし、１以上の操作の集合から取得される情報（例えば、閲覧された地図表現データの地図識別子、閲覧時間など）でも良い。
【０１４３】
（ステップＳ７１１）端末送信部２４は、ステップＳ７１０で構成された操作情報等を情報処理装置１に送信する。ステップＳ７０１に戻る。
【０１４４】
（ステップＳ７１２）端末受信部２５は、キャッシュ用の地図表現データの全部または一部分を受信したか否かを判断する。受信した場合はステップＳ７１３に行き、受信しない場合はステップＳ７０１に戻る。
【０１４５】
（ステップＳ７１３）端末処理部２３は、ステップＳ７１２で受信されたキャッシュ用の地図表現データの全部または一部分を、図示しないバッファに蓄積する。ステップＳ７０１に戻る。
【０１４６】
以下、本実施の形態における情報システムＡの具体的な動作について説明する。情報システムＡの概念図は図１である。
【０１４７】
今、地図表現データ格納部１１１には、図８に示す地図表現データ管理表が格納されている。地図表現データ管理表は、「ＩＤ」「静的属性値」「動的属性値」「地図表現データ」を有するレコードを１以上管理している。
【０１４８】
「ＩＤ」は地図識別子である。「静的属性値」は地図表現データの静的属性値であり、ここでは、領域特定情報、地図表現データの縮尺率、地図表現データの面積、地図表現データの完成度、メタデータを有する。領域特定情報は、（緯度，経度）の集合であり、「ＩＤ＝Ｍ０１，Ｍ０２」の地図表現データの形状は矩形なので、矩形の左上の地点と右下の地点の（緯度，経度）の情報を有する。また、「ＩＤ＝Ｍ０３」の地図表現データの頂点が８つ存在するので、領域特定情報は、８つの（緯度，経度）の情報を有する。メタデータは、ここでは、地図表現データの種類である。また、「静的属性値」は、情報処理装置１を運用する企業により、入力された情報である。
【０１４９】
「動的属性値」は地図表現データの動的属性値であり、ここでは、ユーザアクション情報である。ユーザアクション情報は、ここでは、「ＤＬ回数」「月間ビュー数」「平均アクセス時間」「評価値」を有する。「ＤＬ回数」は、今までに１以上の端末装置２にダウンロードされ、１以上の端末装置２に表示された総回数である。なお、「ＤＬ回数」は、今まで１以上の端末装置２にダウンロードされた総回数でも良い。「月間ビュー数」は、その月または前月に、１以上の端末装置２に表示された総回数である。「平均アクセス時間」は、端末装置２で表示されている時間の平均値である。「評価値」は、ユーザの評価値の平均値である。
【０１５０】
「動的属性値」は、端末装置２から受信された操作情報を用いて、情報処理装置１の処理部１３が取得した情報である。つまり、情報処理装置１の受信部１２は、例えば、端末装置２で地図表現データが表示された場合に、表示された地図表現データの地図識別子を受信する。そして、処理部１３は、当該地図識別子と対になる「ＤＬ回数」と「月間ビュー数」とを１、インクリメントする。なお、表示された地図表現データの地図識別子を受信した後、処理部１３は、図示しない時計を用いて、表示時間の計測を開始する。
【０１５１】
また、情報処理装置１の受信部１２は、端末装置２で地図表現データが未表示となった場合に、未表示となった旨の情報または地図識別子を受信する。そして、処理部１３は、端末装置２で地図表現データが表示されていた時間（表示時間の計測の開始からの時間）を取得する。そして、処理部１３は、かかる時間を用いて「平均アクセス時間」を変更する。
【０１５２】
また、情報処理装置１の受信部１２は、端末装置２から地図識別子と評価値とを受信する。そして、処理部１３は、当該地図識別子と対になる評価値の平均値を変更する。
【０１５３】
「地図表現データ」は、ここでは画像データである。「地図表現データ」は、画像ファイルでも良いことは言うまでもない。
【０１５４】
また、格納部１１は、地図表現データのスコアを決定するための情報を格納している。かかる情報は、ここでは演算式である、とする。演算式は、位置特定情報が示す位置と地図表現データを代表する地点との距離（単に「距離」と言っても良い）、縮尺率、面積、完成度、メタデータ、ＤＬ回数、月間ビュー数、平均アクセス時間、評価値を用いた式である。演算式は、距離が小さいほどスコアが大きくなる式であり、縮尺率が小さいほどスコアが大きくなる式であり、面積が小さいほどスコアが大きくなる式であり、完成度が高い（完成度の値が大きい）ほどスコアが大きくなる式であり、ＤＬ回数が多いほどスコアが大きくなる式であり、月間ビュー数が多いほどスコアが大きくなる式であり、平均アクセス時間が長いほどスコアが大きくなる式であり、評価値が大きいほどスコアが大きくなる式である。また、格納部１１は、メタデータに対応するスコアの元情報を保持している、とする。スコアの元情報とは、例えば、「イラストマップ＝２，古地図＝３，略地図＝１」等である。また、地図表現データのスコアを決定するための情報は、表でも良い。表とは、距離、縮尺率、面積、完成度、メタデータ、ＤＬ回数、月間ビュー数、平均アクセス時間、評価値が決まれば、スコアが決まる表である。なお、地図表現データのスコアを決定するための情報は、距離、縮尺率、面積、完成度、メタデータ、ＤＬ回数、月間ビュー数、平均アクセス時間、評価値のうちの１または２以上の情報を用いて、スコアを決定する情報でも良い。
【０１５５】
また、ユーザ情報格納部１１２には、図９に示すユーザ情報管理表が格納されている。ユーザ情報管理表は、１以上のユーザ情報を管理する表である。ユーザ情報は、「ユーザ識別子」「ユーザ属性」「履歴情報」「現在情報」を有する。「ユーザ属性」は、ユーザの属性値であり、ここでは「年齢」「性別」である。「履歴情報」は、ユーザが閲覧した地図表現データの履歴に関する情報であり、ここでは「閲覧日」「閲覧地図識別子」「閲覧時間」を有する。「閲覧地図識別子」は、閲覧した地図表現データの地図識別子である。「現在情報」は、ユーザが現在、閲覧している地図表現データに関する情報である。「現在情報」は、ここでは「閲覧中地図識別子」「閲覧時間」を有する。「閲覧中地図識別子」は、閲覧中の地図表現データの地図識別子である。
【０１５６】
また、格納部１１は、図１０に示す地名位置対応表を有する。地名位置対応表は、地名情報と位置情報との対応を示す表である。
【０１５７】
かかる状況において、以下の４つの具体例を説明する。具体例１は、位置特定情報が、ユーザの現在位置を示す位置情報である場合に、１以上の地図表現データが端末装置２で表示される場合である。具体例２は、位置特定情報が、地名情報である場合に、１以上の地図表現データが端末装置２で表示される場合である。具体例３は、地図表現データを表示している場合に、ユーザが、次に表示する地図表現データの要求指示を入力した場合である。具体例４は、キャッシュ用の地図表現データが端末装置２にダウンロードされる場合である。
（具体例１）
【０１５８】
今、ユーザの端末装置２には、図１１に示す「古地図等提供サービス」のアプリの画面が表示されている。とする。
【０１５９】
そして、ユーザは、地名情報は入力せずに、図１１の地図要求ボタン１１０１を押下した、とする。すると、端末受付部２２は、地図表現データの要求指示を受け付ける。次に、端末処理部２３は、受け付けた要求指示には地名情報は含まれないので、現在位置を示す現在位置情報（ｘｃ，ｙｃ）を取得した、とする。そして、端末処理部２３は、端末格納部２１からユーザ識別子「Ｕ０１」を読み出す。次に、端末処理部２３は、現在位置情報（ｘｃ，ｙｃ）、ユーザ識別子「Ｕ０１」を有する送信情報を構成する。次に、端末送信部２４は、当該送信情報を情報処理装置１に送信する。
【０１６０】
次に、情報処理装置１の受信部１２は、現在位置情報（ｘｃ，ｙｃ）、ユーザ識別子「Ｕ０１」を有する送信情報を端末装置２から受信する。
【０１６１】
次に、データ取得部１３１は、受信された送信情報から、位置情報（ｘｃ，ｙｃ）を取得する。そして、データ取得部１３１は、位置情報（ｘｃ，ｙｃ）を領域に含む地図表現データを図８の地図表現データ管理表から検索する。つまり、データ取得部１３１は、地図表現データ管理表の各レコードの領域特定情報で特定される領域内に、位置情報（ｘｃ，ｙｃ）が含まれるか否か、レコードごとに検査する。そして、データ取得部１３１は、「ＩＤ＝Ｍ０２，Ｍ０３」のレコードの領域特定情報で特定される領域内に、位置情報（ｘｃ，ｙｃ）が含まれる、と判断した、とする。そして、データ取得部１３１は、「Ｍ０２，Ｍ０３」を、図示しないバッファに一時蓄積する。
【０１６２】
次に、スコア取得部１３３は、ユーザ識別子「Ｕ０１」と対になる履歴情報を図９のユーザ情報管理表から取得する。また、スコア取得部１３３は、Ｍ０２，Ｍ０３の各地図表現データの静的属性値、および動的属性値を取得する。そして、スコア取得部１３３は、取得したユーザの履歴情報、各地図表現データの静的属性値、および動的属性値を用いて、上述した演算式により、Ｍ０２，Ｍ０３の各地図表現データのスコアを算出する。ここで、スコア取得部１３３は、Ｍ０２のスコア「８７」、Ｍ０３のスコア「４８」を得た、とする。次に、スコア取得部１３３は、地図表現データ識別子に対応付けて、スコアを、図示しないバッファに蓄積する。つまり、図示しないバッファには、「（Ｍ０２，８７）、（Ｍ０３，４８）」が蓄積された、とする。
【０１６３】
次に、ソート部１３２は、図示しないバッファの中のスコアをキーとして、降順で、地図表現データ識別子をソートし、（Ｍ０２，Ｍ０３）を得る。
【０１６４】
次に、ソート部１３２は、（Ｍ０２，Ｍ０３）の順に、地図表現データを地図表現データ管理表から取得する。
【０１６５】
次に、送信部１４は、（Ｍ０２，Ｍ０３）の順に、地図表現データを端末装置２に送信する。
【０１６６】
次に、端末装置２の端末受信部２５は、（Ｍ０２，Ｍ０３）の２つの地図表現データを情報処理装置１から受信する。次に、端末処理部２３は、受信された２つの地図表現データを、（Ｍ０２，Ｍ０３）の順に、図示しないバッファに蓄積する。次に、端末出力部２６は、バッファ内の１番目の「Ｍ０２」の地図表現データを表示する。かかる表示例は、図１２である。図１２の１２０１、１２０２は、地図表現データをスクロールするためのスクロールバーである。また、１２０３は、次の地図表現データを表示するボタンである。なお、１２０４は、地図表現データの表示を終了するための「停止」ボタンである。１２０５は、現在位置（ｘｃ，ｙｃ）を示すマークである。なお、端末処理部２３は、地図表現データの中の現在位置（ｘｃ，ｙｃ）の座標値を算出する。そして、端末出力部２６は、その座標値の箇所にマークを表示する。
【０１６７】
ここで、ユーザは、１２０３を押下すれば、表示される地図表現データが、Ｍ０３の地図表現データに切り替わり、図１３の表示になる。図１３において、１３０１は、「Ｍ０２」の地図表現データを表示するための戻るボタンである。１３０２は、現在位置（ｘｃ，ｙｃ）を示すマークである。
【０１６８】
そして、端末装置２の端末処理部２３は、地図表現データの表示等の操作情報等（ユーザ識別子「Ｕ０１」を含む）を構成し、端末送信部２４は、かかる操作情報等を情報処理装置１に送信する。
【０１６９】
次に、情報処理装置１の受信部１２は、端末装置２から操作情報等を受信する。そして、処理部１３は、受信された操作情報をユーザ識別子「Ｕ０１」に対応付けて、ユーザ情報格納部１１２に蓄積する。
【０１７０】
なお、本具体例において、端末出力部２６は、受信された（Ｍ０２，Ｍ０３）の２つの地図表現データをすべて表示しても良い。そして、端末受付部２２は、ユーザによる地図表現データの選択を受け付け、端末出力部２６は、選択された地図表現データを表示しても良い。
（具体例２）
【０１７１】
今、ユーザの端末装置２には、図１１に示す「古地図等提供サービス」のアプリの画面が表示されている。とする。
【０１７２】
そして、ユーザは、地名情報「Ａ地点」を入力し（図１４の１４０１参照）、図１４の地図要求ボタン１４０２を押下した、とする。すると、端末受付部２２は、地図表現データの要求指示を受け付ける。次に、受け付けた要求指示には地名情報は含まれるので、端末処理部２３は、位置特定情報「Ａ地点」を取得する。そして、端末処理部２３は、端末格納部２１からユーザ識別子「Ｕ０１」を読み出す。次に、端末処理部２３は、位置特定情報「Ａ地点」、ユーザ識別子「Ｕ０１」を有する送信情報を構成する。次に、端末送信部２４は、当該送信情報を情報処理装置１に送信する。
【０１７３】
次に、情報処理装置１の受信部１２は、位置特定情報「Ａ地点」、ユーザ識別子「Ｕ０１」を有する送信情報を端末装置２から受信する。
【０１７４】
次に、データ取得部１３１は、受信された位置特定情報「Ａ地点」と対になる位置情報（ｘａ，ｙａ）を取得する。そして、データ取得部１３１は、位置情報（ｘａ，ｙａ）を領域に含む地図表現データを図８の地図表現データ管理表から検索する。そして、データ取得部１３１は、「ＩＤ＝Ｍ０２，Ｍ０３」のレコードの領域特定情報で特定される領域内に、位置情報（ｘａ，ｙａ）が含まれる、と判断した、とする。そして、データ取得部１３１は、「Ｍ０２，Ｍ０３」を、図示しないバッファに一時蓄積する。
【０１７５】
次に、スコア取得部１３３は、ユーザ識別子「Ｕ０１」と対になる履歴情報を図９のユーザ情報管理表から取得する。また、スコア取得部１３３は、Ｍ０２，Ｍ０３の各地図表現データの静的属性値、および動的属性値を取得する。そして、スコア取得部１３３は、取得したユーザの履歴情報、各地図表現データの静的属性値、および動的属性値を用いて、上述した演算式により、Ｍ０２，Ｍ０３の各地図表現データのスコアを算出する。ここで、スコア取得部１３３は、Ｍ０２のスコア「８７」、Ｍ０３のスコア「４８」を得た、とする。次に、スコア取得部１３３は、地図表現データ識別子に対応付けて、スコアを、図示しないバッファに蓄積する。つまり、図示しないバッファには、「（Ｍ０２，８７）、（Ｍ０３，４８）」が蓄積された、とする。
【０１７６】
次に、ソート部１３２は、図示しないバッファの中のスコアをキーとして、降順で、地図表現データ識別子をソートし、（Ｍ０２，Ｍ０３）を得る。
【０１７７】
次に、ソート部１３２は、（Ｍ０２，Ｍ０３）のうち、１番目の「Ｍ０２」の地図表現データのみを地図表現データ管理表から取得する。
【０１７８】
次に、送信部１４は、「Ｍ０２」の地図表現データを端末装置２に送信する。
【０１７９】
次に、端末装置２の端末受信部２５は、「Ｍ０２」の地図表現データを情報処理装置１から受信する。次に、端末出力部２６は、受信された「Ｍ０２」の地図表現データを表示する。かかる表示例は、図１５である。図１５の１５０１は、ユーザが入力した地点「Ａ地点」の位置を示すマークであり、ユーザが入力した地点「Ａ地点」の文字列も地図表現データの上に表示されている。端末処理部２３は、「Ａ地点」の位置を示す位置情報（ｘａ，ｙａ）に対応する座標値を取得する。そして、端末出力部２６は、当該座標値に対応する位置にマーク、および文字列「Ａ地点」を表示する。また、端末処理部２３は、現在位置情報（ｘｃ，ｙｃ）を取得し、地図表現データの中の現在位置（ｘｃ，ｙｃ）の座標値を算出する。そして、端末出力部２６は、その座標値の箇所にマークを表示する（１５０２参照）。
【０１８０】
また、端末装置２の端末処理部２３は、地図表現データを表示した旨の操作情報等（ユーザ識別子「Ｕ０１」を含む）を構成し、端末送信部２４は、かかる操作情報等を情報処理装置１に送信する。
【０１８１】
次に、情報処理装置１の受信部１２は、端末装置２から操作情報等を受信する。そして、処理部１３は、受信された操作情報をユーザ識別子「Ｕ０１」に対応付けて、ユーザ情報管理表に蓄積する。
（具体例３）
【０１８２】
図１５において、「Ｍ０２」の地図表現データが表示されている状況において、ユーザは次ボタン１５０３を押下した、とする。かかる次ボタン１５０３は、表示されている地図表現データを用いて、地図表現データを検索するためのボタンである。
【０１８３】
すると、端末受付部２２は、地図表現データの要求指示を受け付ける。次に、端末処理部２３は、受け付けた要求指示に対応する位置特定情報（ここでは、表示されている地図表現データの地図識別子「Ｍ０２」）を取得する。なお、端末処理部２３は、表示されている地図表現データの地図識別子「Ｍ０２」と、表示されている地図の特定の座標値（例えば、表示中の地図の真ん中の座標値）とを取得しても良い。そして、端末処理部２３は、ユーザ識別子「Ｕ０１」を端末格納部２１から取得し、位置特定情報「Ｍ０２」と当該ユーザ識別子「Ｕ０１」とを有する情報を構成する。次に、端末送信部２４は、位置特定情報を含む情報であり、構成された情報を情報処理装置１に送信する。
【０１８４】
次に、情報処理装置１の受信部１２は、位置特定情報「Ｍ０２」と当該ユーザ識別子「Ｕ０１」とを有する情報を受信する。
【０１８５】
次に、データ取得部１３１は、受信された位置特定情報「Ｍ０２」を用いて、位置情報（ｘＭ０２，ｙＭ０２）を取得する。なお、位置情報（ｘＭ０２，ｙＭ０２）は、地図表現データ「Ｍ０２」の代表位置（例えば、真ん中の位置）を示す情報であり、図示していないが、地図表現データ管理表に格納されている、とする。
【０１８６】
次に、データ取得部１３１は、位置情報（ｘＭ０２，ｙＭ０２）を領域に含む地図表現データであり、「Ｍ０２」を除く地図表現データを図８の地図表現データ管理表から検索する。つまり、データ取得部１３１は、地図表現データ管理表の各レコードの領域特定情報で特定される領域内に、位置情報（ｘＭ０２，ｙＭ０２）が含まれるか否か、「Ｍ０２」を除くレコードごとに検査する。そして、データ取得部１３１は、「ＩＤ＝Ｍ０３」のレコードの領域特定情報で特定される領域内に、位置情報（ｘＭ０２，ｙＭ０２）が含まれる、と判断した、とする。そして、データ取得部１３１は、「Ｍ０３」と対になる地図表現データを地図表現データ管理表から取得する。
【０１８７】
次に、送信部１４は、Ｍ０３の地図表現データを端末装置２に送信する。
【０１８８】
次に、端末装置２の端末受信部２５は、Ｍ０３の地図表現データを情報処理装置１から受信する。次に、端末出力部２６は、「Ｍ０３」の地図表現データを表示する。かかる表示例は、図１３である。
【０１８９】
また、端末装置２の端末処理部２３は、「Ｍ０３」の地図表現データを表示した旨の操作情報等（ユーザ識別子「Ｕ０１」を含む）を構成し、端末送信部２４は、かかる操作情報等を情報処理装置１に送信する。
【０１９０】
そして、情報処理装置１の受信部１２は、端末装置２から操作情報等を受信する。そして、処理部１３は、受信された操作情報をユーザ識別子「Ｕ０１」に対応付けて、ユーザ情報格納部１１２に蓄積する。
【０１９１】
なお、具体例３において、位置情報（ｘＭ０２，ｙＭ０２）を領域に含む地図表現データが複数存在する場合、スコア取得部１３３がスコアを算出し、データ取得部１３１は、スコアが予め決められた条件を満たすほど高い地図表現データを取得しても良い。そして、送信部１４は、スコアが予め決められた条件を満たすほど高い地図表現データを端末装置２に送信しても良い。
（具体例４）
【０１９２】
次に、ユーザ「Ｕ０１」が地図表現データ「Ｍ０３」を端末装置２に表示させている状態が１分以上となり、次の地図表現データの要求の可能性がある、と情報処理装置１が判断した、とする。つまり、同一の地図表現データの表示が閾値（ここでは、１分）以上の時間となり、第二データ取得部１３４は、一の端末装置２でキャッシュさせる地図表現データを送信する、と判断する。
【０１９３】
次に、第二データ取得部１３４は、キャッシュする地図表現データを送信する対象の端末装置２のユーザ識別子「Ｕ０１」と対になる履歴情報をユーザ情報管理表から取得する。
【０１９４】
また、第二データ取得部１３４は、ユーザ識別子「Ｕ０１」と対になる現在情報（閲覧中地図識別子「Ｍ０３」,閲覧時間「１分０２秒」）を取得した、とする。
【０１９５】
次に、第二データ取得部１３４は、履歴情報のうち、過去に閲覧した「Ｍ０９」「Ｍ０１」「Ｍ２９」と現在情報うちの閲覧中地図識別子「Ｍ０３」とを用いて、ユーザが好む地図表現データの種類「古地図」を取得する。そして、第二データ取得部１３４は、閲覧中地図識別子「Ｍ０３」を代表する地点の位置情報（ｘＭ０３，ｙＭ０３）を取得する。そして、第二データ取得部１３４は、位置情報（ｘＭ０３，ｙＭ０３）を領域に含み、メタデータ「古地図」と対になる１以上の地図表現データを、地図表現データ管理表から検索する。
【０１９６】
次に、スコア取得部１３３は、検索した１以上の各地図表現データに対して、上述したアルゴリズムにより、スコアを算出する。
【０１９７】
次に、第二データ取得部１３４は、予め決められた条件を満たすほどスコアが高い１以上の地図表現データを取得する。予め決められた条件を満たすほどスコアが高いことは、例えば、スコアが上位Ｎ（Ｎは１以上の自然数）であること、またはスコアが閾値以上または閾値より大きいことである。
【０１９８】
次に、送信部１４は、第二データ取得部１３４が取得した１以上の地図表現データの全部、または一部分を、ユーザ識別子「Ｕ０１」の端末装置２に送信する。
【０１９９】
次に、端末装置２の端末受信部２５は、キャッシュ用の地図表現データの全部または一部分を受信する。次に、端末処理部２３は、受信されたキャッシュ用の地図表現データの全部または一部分を、図示しないバッファに蓄積する。
【０２００】
そして、端末出力部２６は、ユーザにレコメンドする次の地図表現データが存在することを示す表示を行う。かかる表示例は、図１６である。つまり、地図表現データがキャッシュされたことにより、端末装置２の表示が図１３から図１６に変わった。そして、図１６の１６０１は、ユーザにレコメンドする次の地図表現データが存在することを示す。そして、ユーザが１６０２の次ボタンを押下すれば、キャッシュされている（バッファに格納されている）地図表現データが、端末装置２に表示される。
【０２０１】
以上、本実施の形態によれば、適切な地図表現データをユーザに容易に提供できる。
【０２０２】
また、本実施の形態によれば、適切な地図表現データを適切な順序でユーザに容易に提示できる。
【０２０３】
さらに、本実施の形態によれば、適切な地図表現データをストレスなくユーザに容易に提供できる。
【０２０４】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置１を実現するソフトウェアは、以下のようなプログラムである。つまり、このプログラムは、例えば、表現している領域を特定する領域特定情報を含む１以上の属性値に対応付けられたデータであり、地図を表現した２以上の地図表現データが格納される地図表現データ格納部を具備する記録媒体にアクセス可能なコンピュータを、端末装置から位置を特定する位置特定情報を受信する受信部と、前記位置特定情報で特定される位置に対応する領域特定情報に対応付けられている１以上の地図表現データを前記地図表現データ格納部から取得するデータ取得部と、前記データ取得部が取得した１以上の地図表現データを前記端末装置に送信する送信部として機能させるためのプログラムである。
【０２０５】
また、図１７は、本明細書で述べたプログラムを実行して、上述した種々の実施の形態の情報処理装置等を実現するコンピュータの外観を示す。上述の実施の形態は、コンピュータハードウェア及びその上で実行されるコンピュータプログラムで実現され得る。図１７は、このコンピュータシステム３００の概観図であり、図１８は、システム３００のブロック図である。
【０２０６】
図１７において、コンピュータシステム３００は、ＣＤ−ＲＯＭドライブを含むコンピュータ３０１と、キーボード３０２と、マウス３０３と、モニタ３０４とを含む。
【０２０７】
図１８において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２０８】
コンピュータシステム３００に、上述した実施の形態の情報処理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２０９】
プログラムは、コンピュータ３０１に、上述した実施の形態の情報処理装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２１０】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０２１１】
また、上記プログラムを実行するコンピュータは、単数であってもよく、複数であってもよい。すなわち、集中処理を行ってもよく、あるいは分散処理を行ってもよい。
【０２１２】
また、上記各実施の形態において、一の装置に存在する２以上の通信手段は、物理的に一の媒体で実現されても良いことは言うまでもない。
【０２１３】
また、上記各実施の形態において、各処理は、単一の装置によって集中処理されることによって実現されてもよく、あるいは、複数の装置によって分散処理されることによって実現されてもよい。つまり、情報処理装置１は、スタンドアロンで動作しても良い。
【０２１４】
本発明は、以上の実施の形態に限定されることなく、種々の変更が可能であり、それらも本発明の範囲内に包含されるものであることは言うまでもない。
【産業上の利用可能性】
【０２１５】
以上のように、本発明にかかる情報処理装置は、適切な地図表現データをユーザに提供できるという効果を有し、情報処理装置等として有用である。
【符号の説明】
【０２１６】
１  情報処理装置
２  端末装置
１１  格納部
１２  受信部
１３  処理部
１４  送信部
２１  端末格納部
２２  端末受付部
２３  端末処理部
２４  端末送信部
２５  端末受信部
２６  端末出力部
１１１  地図表現データ格納部
１１２  ユーザ情報格納部
１３１  データ取得部
１３２  ソート部
１３３  スコア取得部
１３４  第二データ取得部
【図１】
2019160325.tif 000003
【図２】
2019160325.tif 000004
【図３】
2019160325.tif 000005
【図４】
2019160325.tif 000006
【図５】
2019160325.tif 000007
【図６】
2019160325.tif 000008
【図７】
2019160325.tif 000009
【図８】
2019160325.tif 000010
【図９】
2019160325.tif 000011
【図１０】
2019160325.tif 000012
【図１１】
2019160325.tif 000013
【図１２】
2019160325.tif 000014
【図１３】
2019160325.tif 000015
【図１４】
2019160325.tif 000016
【図１５】
2019160325.tif 000017
【図１６】
2019160325.tif 000018
【図１７】
2019160325.tif 000019
【図１８】
2019160325.tif 000020